(57)【特許請求の範囲】
【請求項１】
原水の水底面上に設置され、ろ過材収容部を含む構造物と、
前記ろ過材収容部に収容されたろ過材と、
前記ろ過材を通過した処理水を処理設備側に導く導水部と、
前記ろ過材の処理水側から原水側に向かって水または空気を逆流させることにより前記ろ過材を洗浄する逆洗機構部と、を備え、
前記構造物は、
前記構造物の側方に開口するように設けられた第１開口部および第２開口部と、
前記逆洗機構部による逆洗時に前記ろ過材から上方に向かって原水側に排出された排水を前記構造物の側方に設けられた前記第２開口部に排出するように導くガイド部を有する排水方向制御部と、を一体的に含む、浸透取水システム。
【請求項２】
前記ガイド部は、前記構造物において、前記ろ過材収容部の上方に前記ろ過材収容部に対向するように形成され、前記第２開口部に向かって斜め上方に傾斜する天井面を有する、請求項１に記載の浸透取水システム。
【請求項３】
原水の水底面上に設置され、ろ過材収容部を含む構造物と、
前記ろ過材収容部に収容されたろ過材と、
前記ろ過材を通過した処理水を処理設備側に導く導水部と、
前記ろ過材の処理水側から原水側に向かって水または空気を逆流させることにより前記ろ過材を洗浄する逆洗機構部と、を備え、
前記構造物は、
前記構造物の側方にそれぞれ開口するように設けられた第１開口部および前記第１開口部よりも大きい開口面積を有する第２開口部と、
前記逆洗機構部による逆洗時に前記ろ過材から上方に向かって原水側に排出された排水を前記構造物の側方に設けられた前記第２開口部に排出するように導くガイド部を有する排水方向制御部と、を一体的に含む、浸透取水システム。
【請求項４】
原水の水底面上に設置され、ろ過材収容部を含む構造物と、
前記ろ過材収容部に収容されたろ過材と、
前記ろ過材を通過した処理水を処理設備側に導く導水部と、
前記ろ過材の処理水側から原水側に向かって水または空気を逆流させることにより前記ろ過材を洗浄する逆洗機構部と、を備え、
前記構造物は、
前記逆洗機構部による逆洗時に前記ろ過材から上方に向かって原水側に排出された排水を前記構造物の側方に排出するように導くガイド部を有する排水方向制御部を一体的に含むとともに、
鉛直方向に所定の間隔を隔てて積層された複数の前記ろ過材収容部を含み、
複数の前記ろ過材収容部のうちの上側に位置する前記ろ過材収容部の下部が前記ガイド部を構成している、浸透取水システム。
【請求項５】
前記ガイド部は、前記逆洗時の排水方向が周辺に設置された他の前記構造物が設置された方向以外の側方に導くように構成されている、請求項１〜４のいずれか１項に記載の浸透取水システム。
【請求項６】
原水の水底面上に設置され、ろ過材収容部を含む構造物と、
前記ろ過材収容部に収容されたろ過材と、
前記ろ過材を通過した処理水を処理設備側に導く導水部と、
前記ろ過材の処理水側から原水側に向かって水または空気を逆流させることにより前記ろ過材を洗浄する逆洗機構部と、を備え、
前記構造物は、前記逆洗機構部による逆洗時に前記ろ過材から原水側に排出された排水の排水方向を所定の排水方向に制御する排水方向制御部を一体的に含み、
前記排水方向制御部は、前記構造物の側方に対向して開口するように設けられた第１開口部および第２開口部を含み、前記第１開口部および前記第２開口部を原水中の前記構造物に向かう水の流れ方向に沿って配置することにより、前記第１開口部側から前記第２開口部側に排水が排出されるように構成されている、浸透取水システム。
【発明の詳細な説明】
【技術分野】
【０００１】
本発明は、浸透取水システムに関し、特に、原水中に設置される構造物を備える浸透取水システムに関する。
【背景技術】
【０００２】
従来、原水中に設置される構造物を備える浸透取水システムが知られている（たとえば、特許文献１参照）。
【０００３】
上記特許文献１には、海水中に設置された箱状の筐体と、筐体内に収容された砂ろ過層と、砂ろ過層を通過した水を海水淡水化プラントに供給するための取水配管と、砂ろ過層の上部に配置された逆洗浄管と、砂ろ過層の上方に配置された排出管と、を備える浸透取水ユニットが開示されている。この浸透取水ユニットの逆洗浄管は、水または空気を噴出することにより、砂ろ過層の表層に堆積した微生物や懸濁物質などの異物を巻き上げる機能を有する。また、排出管は、逆洗浄管により巻き上げられた異物を砂ろ過層の外部に排出するための水を噴出する機能を有する。
【先行技術文献】
【特許文献】
【０００４】
【特許文献１】特開２０１３−７５２６８号公報
【発明の概要】
【発明が解決しようとする課題】
【０００５】
しかしながら、上記特許文献１に開示された浸透取水ユニットでは、排水が他の浸透取水ユニットの砂ろ過層の表層に到達するのを抑制するために、逆洗浄管とは別個に、排出管と、排出管に水を噴出させるための駆動源（たとえば、ポンプ）とを設ける必要がある。このため、浸透取水ユニットを構成する構成物品の点数が増加するとともに、構造が複雑化するという問題点がある。
【０００６】
この発明は、上記のような課題を解決するためになされたものであり、この発明の１つの目的は、部品点数の増加および構造の複雑化を抑制しつつ、逆洗時の排水が他の構造物のろ過材などに到達するのを抑制することが可能な浸透取水システムを提供することである。
【課題を解決するための手段】
【０００７】
上記目的を達成するために、この発明の第１の局面における浸透取水システムは、原水の水底面上に設置され、ろ過材収容部を含む構造物と、ろ過材収容部に収容されたろ過材と、ろ過材を通過した処理水を処理設備側に導く導水部と、ろ過材の処理水側から原水側に向かって水または空気を逆流させることによりろ過材を洗浄する逆洗機構部と、を備え、構造物は、構造物の側方に開口するように設けられた第１開口部および第２開口部と、逆洗機構部による逆洗時にろ過材から上方に向かって原水側に排出された排水を構造物の側方に設けられた第２開口部に排出するように導くガイド部を有する排水方向制御部と、を一体的に含む。なお、「原水」は、ろ過材によりろ過される前の水を意味する。また、「水底面上に設置」とは、水底面の表面上に構造物が設置される場合のみならず、構造物の一部が水底面に埋め込まれている場合も含む広い概念である。
【０００８】
この発明の第１の局面による浸透取水システムでは、上記のように、構造物に、逆洗機構部による逆洗時にろ過材から原水側に排出された排水の排水方向を所定の排水方向に制御する排水方向制御部を一体的に設ける。これにより、構造物に一体的に設けられた排水方向制御部により、排水方向をたとえば他の構造物が設置された方向以外の所定の排水方向になるように調整することによって、排出管や排出管から水を噴出させるための駆動源を別途設けなくとも、逆洗時の排水が他の構造物のろ過材に到達するのを抑制することができる。これにより、部品点数の増加および構造の複雑化を抑制しつつ、逆洗時の排水が他の構造物のろ過材などに到達するのを抑制することができる。また、ガイド部により、逆洗時にろ過材から原水側に上方に向かって排出された排水を構造物の側方から構造物の外部に排出することができるので、排水に含まれる異物が自重で落下して再度ろ過材に到達するのを抑制することができる。
【００１０】
この場合、好ましくは、ガイド部は、構造物において、ろ過材収容部の上方にろ過材収容部に対向するように形成され、第２開口部に向かって斜め上方に傾斜する天井面を有するガイド部は、構造物において、ろ過材収容部の上方にろ過材収容部に対向するように形成され。このように構成すれば、側方の所定の排水方向に向かって斜め上方に傾斜する天井面に排水を沿わせることによって、上方に向かって排出される排水を確実に側方の所定の排水方向に導くことができるので、排水を予め設定された側方から確実に排出することができる。
【００１１】
この発明の第２の局面における浸透取水システムは、原水の水底面上に設置され、ろ過材収容部を含む構造物と、ろ過材収容部に収容されたろ過材と、ろ過材を通過した処理水を処理設備側に導く導水部と、ろ過材の処理水側から原水側に向かって水または空気を逆流させることによりろ過材を洗浄する逆洗機構部と、を備え、構造物は、構造物の側方にそれぞれ開口するように設けられた第１開口部および第１開口部よりも大きい開口面積を有する第２開口部と、逆洗機構部による逆洗時にろ過材から上方に向かって原水側に排出された排水を構造物の側方に設けられた第２開口部に排出するように導くガイド部を有する排水方向制御部と、を一体的に含む。
この発明の第２の局面による浸透取水システムでは、上記の構成により、部品点数の増加および構造の複雑化を抑制しつつ、逆洗時の排水が他の構造物のろ過材などに到達するのを抑制することができる。また、第１開口部よりも大きい開口面積を有する第２開口部は第１開口部と比べて排水が排出されやすいので、排水を排水方向側の第２開口部から容易に排出することができる。
【００１２】
この発明の第３の局面における浸透取水システムは、原水の水底面上に設置され、ろ過材収容部を含む構造物と、ろ過材収容部に収容されたろ過材と、ろ過材を通過した処理水を処理設備側に導く導水部と、ろ過材の処理水側から原水側に向かって水または空気を逆流させることによりろ過材を洗浄する逆洗機構部と、を備え、構造物は、逆洗機構部による逆洗時にろ過材から上方に向かって原水側に排出された排水を構造物の側方に排出するように導くガイド部を有する排水方向制御部を一体的に含むとともに、鉛直方向に所定の間隔を隔てて積層された複数のろ過材収容部を含み、複数のろ過材収容部のうちの上側に位置するろ過材収容部の下部がガイド部を構成している。
この発明の第３の局面による浸透取水システムでは、上記の構成により、部品点数の増加および構造の複雑化を抑制しつつ、逆洗時の排水が他の構造物のろ過材などに到達するのを抑制することができる。また、ろ過材収容部の下部をガイド部として利用することによって、部品点数の増加を効果的に抑制しながら排水を排出することができる。
【００１３】
上記第１〜第３の局面のいずれかによる浸透取水システムにおいて、好ましくは、ガイド部は、逆洗時の排水方向が周辺に設置された他の構造物が設置された方向以外の側方に導くように構成されている。このように構成すれば、逆洗時の排水が他の構造物のろ過材に到達するのを確実に抑制することができる。
【００１４】
この発明の第４の局面における浸透取水システムは、原水の水底面上に設置され、ろ過材収容部を含む構造物と、ろ過材収容部に収容されたろ過材と、ろ過材を通過した処理水を処理設備側に導く導水部と、ろ過材の処理水側から原水側に向かって水または空気を逆流させることによりろ過材を洗浄する逆洗機構部と、を備え、構造物は、逆洗機構部による逆洗時にろ過材から原水側に排出された排水の排水方向を所定の排水方向に制御する排水方向制御部を一体的に含み、排水方向制御部は、構造物の側方に対向して開口するように設けられた第１開口部および第２開口部を含み、第１開口部および第２開口部を原水中の構造物に向かう水の流れ方向に沿って配置することにより、第１開口部側から第２開口部側に排水が排出されるように構成されている。
この発明の第４の局面による浸透取水システムでは、上記の構成により、部品点数の増加および構造の複雑化を抑制しつつ、逆洗時の排水が他の構造物のろ過材などに到達するのを抑制することができる。また、構造物に水の流れ方向に沿って第１開口部および第２開口部を設けるだけで、構造物に向かう水の流れを利用して、構造物内において第１開口部側から第２開口部側に向かう水の流れを形成することができる。これにより、構造の複雑化を抑制しながら排水を第２開口部から効率的に排出することができる。
【発明の効果】
【００１５】
本発明によれば、上記のように、部品点数の増加および構造の複雑化を抑制しつつ、逆洗時の排水が他の構造物のろ過材などに到達するのを抑制することが可能な浸透取水システムを提供することができる。
【図面の簡単な説明】
【００１６】
【図１】本発明の第１実施形態による浸透取水システムの浸透取水構造物が設置される位置の一例を示した模式図である。
【図２】本発明の第１実施形態による浸透取水システムを示した概略斜視図である。
【図３】図２の１１０−１１０線に沿った断面図である。
【図４】本発明の第２実施形態による浸透取水構造物を示した斜視図である。
【図５】図４の１２０−１２０線に沿った断面図である。
【図６】本発明の第３実施形態による浸透取水システムの浸透取水構造物が設置される位置の一例を示した模式図である。
【図７】本発明の第３実施形態による浸透取水構造物を示した断面図である。
【図８】本発明の第１変形例による浸透取水システムを示した概略斜視図である。
【図９】本発明の第２変形例による浸透取水システムを示した概略斜視図である。
【図１０】本発明の第３変形例による浸透取水システムを示した概略斜視図である。
【図１１】本発明の第４変形例による浸透取水構造物を示した断面図である。
【発明を実施するための形態】
【００１７】
以下、本発明の実施形態を図面に基づいて説明する。
【００１８】
［第１実施形態］
図１〜図３を参照して、本発明の第１実施形態による浸透取水システム１００の全体構成について説明する。
【００１９】
（浸透取水システムの構成）
本発明の第１実施形態による浸透取水システム１００は、薬剤の注入などを行わずに、流木などの浮遊物や、ごみ、海洋生物・河川生息生物やプランクトンなどの微生物、懸濁物質（所定の粒径以下の不溶解性物質）などから構成される異物を海水（原水）から除去して、清澄な水（処理水）を得るためのシステムである。浸透取水システム１００は、図１に示すように、原水中に設置され、原水をろ過して処理水にする複数（たとえば、３つ）の浸透取水構造物１と、各々の浸透取水構造物１に対応するように設けられ、浸透取水構造物１から送られた処理水が貯留される複数の取水井２と、浸透取水構造物１と取水井２とを接続する取水管３とを備えている。なお、取水井２は、複数の浸透取水構造物１で共有するように構成してもよい。また、浸透取水構造物１は、本発明の「構造物」の一例であり、取水井２および取水管３は、それぞれ、本発明の「逆洗機構部」および「導水部」の一例である。
【００２０】
複数の浸透取水構造物１は、海岸５の延びる方向（Ｙ方向）に沿って、所定の間隔を隔てて並ぶように設置されている。また、取水井２に貯留された処理水は、処理設備４に設けられたポンプ（図示せず）などにより取水管４ａを介して汲み上げられて、所望の水に処理される。たとえば、処理設備４が淡水化プラントである場合には、逆浸透膜法や蒸発法などによって、清澄な水（処理水）が飲料水などの生活用水に処理される。なお、処理設備４としては、処理水を冷却水として用いるプラントや、処理水を水槽の水として用いる水族館、処理水をプールの水として用いる海水プールおよび競艇場、処理水を養殖池の水として用いる養殖場などが挙げられる。
【００２１】
取水井２は、図２に示すように、海岸５近傍の陸側において、鉛直方向（Ｚ方向）に所定の深さになるように形成されている。また、取水井２の底面近傍には、取水管３が接続されている。ここで、取水時に、取水井２に貯留された処理水の水面Ｓ２（一点鎖線）を、原水の水面Ｓ１よりも鉛直方向に水位差Ｈ１だけ低くすることによって、水位差Ｈ１に基づいて、原水（浸透取水構造物１）側から処理水（取水井２）側への水圧が生じる。この水圧を利用して、浸透取水システム１００では、後述するろ過材１３内を原水側から処理水側に向かって水を流通させて、処理水を取水するように構成されている。
【００２２】
ここで、取水速度が約５ｍ／日以上である場合には、ろ過材１３の表面（Ｚ１側の上面）に異物が蓄積して、その結果、ろ過材１３が閉塞しやすい。したがって、浸透取水システム１００では、ろ過材１３内を処理水（取水井２）側から原水（浸透取水構造物１）側に向かって水を逆流させて、ろ過材１３を洗浄（逆洗）するように構成されている。この逆洗時には、処理水の水面Ｓ２（二点鎖線）を、原水の水面Ｓ１よりも水位差Ｈ２だけ高くすることによって、水位差Ｈ２に基づいて、処理水側から原水側への水圧が生じる。この水圧を利用して、浸透取水システム１００では、ろ過材１３内を処理水側から原水側に向かって水を逆流させるように構成されている。この結果、ろ過材１３に蓄積した異物の除去のために、ダイバーなどによる定期的な清掃を不要にすることが可能である。
【００２３】
また、水位差Ｈ１およびＨ２は、処理設備４により取水井２から汲み上げられる処理水の量を調整して処理水の水面Ｓ２の高さ位置を調整することにより、適宜調整することが可能である。また、水位差Ｈ１およびＨ２を調整して水圧の大きさを調整することによって、ろ過材１３および取水管３を流通する水の速度（取水速度または逆洗速度）を調整することが可能である。なお、取水速度は、約５ｍ／日以上であるのが好ましい。
【００２４】
＜浸透取水構造物の構造＞
浸透取水構造物１は、図２に示すように、原水の水底面Ｂ上で、かつ、全体が原水中に配置されるように設置されている。なお、浸透取水構造物１が設置される水底面Ｂでは浸透取水構造物１を設置するための工事が行われており、その結果、浸透取水構造物１が安定的に固定されている。ここで、浸透取水構造物１を設置するための工事は、水底面Ｂ下に取水管を埋設することによって取水を行う一般的な浸透取水法と比べて、工事のコストや日数を大幅に削減することが可能である。
【００２５】
浸透取水構造物１は、樹脂、ＦＲＰ（繊維強化プラスチック）、鉄鋼、コンクリート、または、これらの複合材などから構成されている。また、浸透取水構造物１は、上面が傾斜した直方体状になるように外観形状が形成されている。
【００２６】
浸透取水構造物１は、鉛直方向（Ｚ方向）に積層された一対（複数）のろ過材収容部１０および１１を含んでいる。ろ過材収容部１０および１１は、鉛直方向（Ｚ方向）に所定の間隔を隔てて積層されている。また、上側（Ｚ１側）のろ過材収容部１０の上方で、かつ、ろ過材収容部１０と対向する位置には、浸透取水構造物１の上部を形成する天井部１２（天井面１２ａ）が浸透取水構造物１と一体的に設けられている。下側（Ｚ２側）のろ過材収容部１１の上方で、かつ、ろ過材収容部１１と対向する位置には、上側のろ過材収容部１０の下部１０ａ（天井面１０ｂ）が浸透取水構造物１と一体的に設けられている。
【００２７】
ろ過材収容部１０および１１の立方体状の空間には、図３に示すように、共に、異物を原水中から除去するろ過材１３が収容されている。また、ろ過材収容部１０および１１に収容されたろ過材１３の下部（Ｚ２側）には、それぞれ、取水管３から分岐した分岐管３ａおよび３ｂと、複数のスクリーン管１４および１５とがそれぞれ配置されている。
【００２８】
ろ過材１３は、たとえば、上方から下方に向かって徐々に粒径が大きくなるように砂または砂利が配置されることによって形成されている。なお、ろ過材１３としては、砂、砂利、樹脂製もしくはセラミック製の球体、樹脂製もしくはセラミック製の多孔質体、不織布、繊維を束ねて球状もしくはペレット状に加工したものなどを単数または複数使用することが可能である。このろ過材１３は、取水時に原水を上方から下方に流通させることによって、異物が除去された処理水をスクリーン管１４または１５に供給する機能を有している。また、逆洗時にスクリーン管１４または１５を介して処理水がろ過材１３内を下方から上方に流通することによって、ろ過材１３内の異物が処理水とともにろ過材１３の上方に排水として排出される。これにより、ろ過材１３は洗浄される。
【００２９】
ろ過材１３を通過した処理水は、分岐管３ａ、３ｂ、スクリーン管１４および１５を介して、取水管３に供給されるように構成されている。分岐管３ａおよび３ｂは、図２に示すように、各々、浸透取水構造物１を水平方向（Ｘ方向）に貫通するように延びるとともに、Ｘ１側で取水管３と接続されている。また、複数のスクリーン管１４は、分岐管３ａに対して水平面内で直交した状態で、分岐管３ａと連通している。また、複数のスクリーン管１５は、分岐管３ｂに対して水平面内で直交した状態で、分岐管３ｂと連通している。また、図３に示すように、スクリーン管１４および１５には、それぞれ、ろ過材１３を通過した処理水をスクリーン管１４および１５内に取り込むための無数のスリット１４ａおよび１５ａ（図７参照）が形成されている。なお、分岐管３ａ、３ｂ、スクリーン管１４および１５は、本発明の「導水部」の一例である。
【００３０】
浸透取水構造物１のＸ方向の側方の壁部には、沖合側開口部１６ａおよび１７ａと、陸側開口部１６ｂおよび１７ｂとが設けられている。これらの沖合側開口部１６ａ、１７ａ、陸側開口部１６ｂおよび１７ｂは、矩形状の開口形状（図２参照）を有している。また、沖合側開口部１６ａおよび陸側開口部１６ｂは、ろ過材収容部１０と外部とを連通するように浸透取水構造物１に設けられている。また、沖合側開口部１７ａおよび陸側開口部１７ｂは、ろ過材収容部１１と外部とを連通するように浸透取水構造物１に設けられている。また、沖合側開口部１６ａおよび１７ａは、浸透取水構造物１の沖合側（Ｘ１側）の側方の壁部に設けられている。陸側開口部１６ｂおよび１７ｂは、浸透取水構造物１の陸側（Ｘ２側）の側方の壁部に設けられている。なお、沖合側開口部１６ａおよび１７ａは、本発明の「第２開口部」の一例であり、陸側開口部１６ｂおよび１７ｂは、本発明の「第１開口部」の一例である。
【００３１】
また、浸透取水構造物１の上部において、沖合側開口部１６ａは、陸側開口部１６ｂよりも開口面積が大きくなるように形成されている。同様に、浸透取水構造物１の下部において、沖合側開口部１７ａは、陸側開口部１７ｂよりも開口面積が大きくなるように形成されている。なお、沖合側開口部１６ａおよび陸側開口部１６ｂのＹ方向の長さは略同一であり、沖合側開口部１７ａおよび陸側開口部１７ｂのＹ方向の長さは略同一である。一方、沖合側開口部１６ａおよび１７ａの鉛直方向の長さＬ１は、陸側開口部１６ｂおよび１７ｂの鉛直方向の長さＬ２よりも大きくなるように形成されている。
【００３２】
ここで、第１実施形態では、上側のろ過材収容部１０に対向する天井部１２の天井面１２ａは、Ｘ２側（陸側開口部１６ｂ側）からＸ１側（沖合側開口部１６ａ側）に向かって直線的に斜め上方に傾斜している。一方、天井面１２ａは、Ｙ方向には傾斜していない。これにより、逆洗時に、ろ過材収容部１０の上方に排出された排水は、Ｘ２側からＸ１側に向かって斜め上方に傾斜する天井面１２ａに沿うように導かれて、Ｘ１方向に向かって流れる。そして、逆洗時の排水は、浸透取水構造物１のＸ１側の沖合側開口部１６ａから浸透取水構造物１の側方に排出される。これにより、排水がろ過材収容部１０のろ過材１３に戻るのが抑制される。なお、天井面１２ａは、本発明の「排水方向制御部」および「ガイド部」の一例であり、Ｘ１方向は、本発明の「所定の排水方向」の一例である。
【００３３】
同様に、下側のろ過材収容部１１に対向する下部１０ａの天井面１０ｂは、天井面１２ａと同様に、Ｘ２側（陸側開口部１７ｂ側）からＸ１側（沖合側開口部１７ａ側）に向かって、斜め上方に傾斜している。一方、天井面１０ｂは、Ｙ方向には傾斜していない。これにより、逆洗時に、ろ過材収容部１１の上方に排出された排水は、天井面１０ｂに沿うように導かれて、Ｘ１方向に向かって流れる。そして、逆洗時の排水は、浸透取水構造物１のＸ１側の沖合側開口部１７ａから浸透取水構造物１の側方に排出される。これにより、排水がろ過材収容部１１のろ過材１３に戻るのが抑制される。なお、天井面１０ｂは、本発明の「排水方向制御部」および「ガイド部」の一例である。
【００３４】
また、逆洗時の排水が、浸透取水構造物１のＸ１側の沖合側開口部１６ａおよび１７ａから浸透取水構造物１の側方に排出されることによって、陸側に排出される場合と異なり、海岸５において排水が反射して再度ろ過材１３に到達するのを抑制することが可能である。また、逆洗は、所定の浸透取水構造物１において、ろ過材収容部１０および１１の双方で略同時に行われる。これにより、ろ過材収容部１１または１０からの排水が、ろ過材収容部１０または１１のろ過材１３に取水されるのを抑制することが可能である。
【００３５】
一方で、図１に示すように、浸透取水構造物１の各々においては、同時に逆洗が行われずに、タイミングをずらして別々に逆洗が行われるように構成されている。このように、１つの浸透取水構造物１のみで逆洗が行われ、他の浸透取水構造物１において取水が行われているとしても、排水の排出方向がＹ方向とは異なるＸ１方向に制御されているので、浸透取水構造物１のろ過材１３に他の浸透取水構造物１からの排水が取水されるのが抑制される。
【００３６】
また、排水が排出されるＸ１方向は、他の浸透取水構造物１が設置された方向（Ｙ方向）以外の方向であるため、他の浸透取水構造物１のろ過材１３に排水が到達するのが抑制される。さらに、図２に示すように、浸透取水構造物１のＹ方向の側方の壁部には、開口部は設けられていない。これにより、逆洗時において、浸透取水構造物１のＹ方向の両側からは原水が排出されないので、これによっても、他の浸透取水構造物１のろ過材１３に排水が到達するのが抑制される。
【００３７】
（第１実施形態の効果）
第１実施形態では、以下のような効果を得ることができる。
【００３８】
第１実施形態では、上記のように、浸透取水構造物１に、取水井２における処理水の水面Ｓ２と原水における水面Ｓ１との水位差Ｈ２を利用した逆洗時に、ろ過材１３から原水側に排出される排水の排水方向を他の浸透取水構造物１が設置されたＹ方向以外のＸ１方向になるように制御する天井面１０ｂおよび１２ａを一体的に設ける。これにより、浸透取水構造物１に一体的に設けられた天井面１０ｂおよび１２ａにより、排出管や排出管から水を噴出させるための駆動源を別途設けなくとも、逆洗時の排水が他の浸透取水構造物１のろ過材１３に到達するのを確実に抑制することができる。この結果、部品点数の増加および構造の複雑化を抑制しつつ、逆洗時の排水が他の浸透取水構造物１のろ過材１３に到達するのを抑制することができる。
【００３９】
また、第１実施形態では、天井面１０ｂおよび１２ａを、逆洗時にろ過材１３から原水側に上方に向かって排出された排水を沖合側開口部１６ａおよび１７ａから浸透取水構造物１の側方に排出するように導くように構成する。これにより、天井面１０ｂおよび１２ａにより、逆洗時にろ過材１３から原水側に上方に向かって排出された排水を浸透取水構造物１の側方から浸透取水構造物１の外部に排出することができるので、排水に含まれる異物が自重で落下して再度ろ過材１３に到達するのを抑制することができる。
【００４０】
また、第１実施形態では、天井面１０ｂおよび１２ａを、浸透取水構造物１において、ろ過材収容部１０および１１の上方にろ過材収容部１０および１１に対向するようにそれぞれ形成するとともに、予め設定された側方の所定の排水方向（Ｘ１方向）に向かって斜め上方に傾斜するように形成する。これにより、Ｘ１方向に向かって斜め上方に傾斜する天井面１０ｂおよび１２ａに排水を沿わせることによって、上方に向かって排出される排水を確実にＸ１方向に導くことができるので、排水を予め設定されたＸ１側の側方から確実に排出することができる。
【００４１】
また、第１実施形態では、沖合側開口部１６ａおよび１７ａを、浸透取水構造物１の側方のＸ１側に設けるとともに、それぞれ、陸側開口部１６ｂおよび１７ｂよりも大きい開口面積を有するように形成する。これにより、陸側開口部１６ｂおよび１７ｂよりも大きい開口面積を有する沖合側開口部１６ａおよび１７ａは陸側開口部１６ｂおよび１７ｂと比べて排水が排出されやすいので、排水をＸ１側の沖合側開口部１６ａおよび１７ａから容易に排出することができる。
【００４２】
また、第１実施形態では、浸透取水構造物１に、鉛直方向（Ｚ方向）に所定の間隔を隔てて積層された複数（一対）のろ過材収容部１０および１１を設ける。そして、上側に位置するろ過材収容部１０の下部１０ａの下面を、下側に位置するろ過材収容部１１の逆洗時の排水を浸透取水構造物１のＸ１側の側方に排出するように導く天井面１０ｂにする。これにより、ろ過材収容部１０の下部１０ａを天井面１０ｂとして利用することによって、部品点数の増加を効果的に抑制しながら排水を排出することができる。
【００４３】
［第２実施形態］
図１、図４および図５を参照して、本発明の第２実施形態による浸透取水システム２００の全体構成について説明する。この浸透取水システム２００では、上記第１実施形態の天井面１２ａの構成に加えて、さらに、天井面１１２ａが、断面形状が上方に向かって先細る形状であり、かつ、その断面形状がＸ１方向に向かって延びるように形成されている例について説明する。なお、上記第１実施形態と同様の構成は、第１実施形態と同じ符号を付して図示するとともに説明を省略する。
【００４４】
（浸透取水システムの構成）
本発明の第２実施形態による浸透取水システム２００は、図１に示すように、原水中に設置された複数（たとえば、３つ）の浸透取水構造物１０１と、各々の浸透取水構造物１０１に対応する複数の取水井２と、取水管３とを備えている。
【００４５】
＜浸透取水構造物の構造＞
浸透取水構造物１０１は、図４に示すように、ろ過材１３が収容されたろ過材収容部１０と、ろ過材１３内の下部に配置された分岐管３ａおよびスクリーン管１４とを含んでいる。なお、浸透取水構造物１０１は、本発明の「構造物」の一例である。
【００４６】
浸透取水構造物１０１のＸ１側（側方）の壁部には、沖合側開口部１１６ａが設けられているとともに、浸透取水構造物１０１のＸ２側（側方）の壁部には、陸側開口部１１６ｂが設けられている。この沖合側開口部１１６ａおよび陸側開口部１１６ｂは、共に、上方に向かって先細る三角形状の開口形状を有している。また、沖合側開口部１１６ａおよび陸側開口部１１６ｂは、ろ過材収容部１０と外部とを連通するように浸透取水構造物１０１に設けられている。なお、沖合側開口部１１６ａおよび陸側開口部１１６ｂは、それぞれ、本発明の「第２開口部」および「第１開口部」の一例である。
【００４７】
ここで、第２実施形態では、ろ過材収容部１０に対向する天井部１１２の天井面１１２ａは、Ｘ２側（陸側開口部１１６ｂ側）からＸ１側（沖合側開口部１１６ａ）に向かって直線的に斜め上方に傾斜している。さらに、天井面１１２ａは、Ｙ方向の中央に向かって斜め上方に傾斜している。この結果、天井面１１２ａは、Ｘ１方向（排水方向）と直交する断面形状が上方に向かって先細る三角形状であり、かつ、三角形状の断面形状がＸ１方向に向かって延びるように形成されている。これにより、Ｙ方向の中央に向かって先細る天井面１１２ａにより、先細りした部分で渦を形成しながらＸ１方向に向かう水の流れを形成することが可能である。この結果、逆洗時に、ろ過材収容部１０の上方に排出された排水は、天井面１１２ａの中央近傍で渦を巻きながら天井面１１２ａに沿うように導かれて、Ｘ１方向に向かって流れる。そして、排水は、浸透取水構造物１０１のＸ１側の沖合側開口部１１６ａから浸透取水構造物１０１の側方に排出される。なお、天井面１１２ａは、本発明の「排水方向制御部」および「ガイド部」の一例である。また、第２実施形態のその他の構成は、上記第１実施形態と同様である。
【００４８】
（第２実施形態の効果）
第２実施形態では、以下のような効果を得ることができる。
【００４９】
第２実施形態では、上記のように、浸透取水構造物１０１に、逆洗時に、ろ過材１３から原水側に排出される排水の排水方向を他の浸透取水構造物１０１が設置されたＹ方向以外のＸ１方向になるように制御する天井面１１２ａを設ける。これにより、上記第１実施形態と同様に、部品点数の増加および構造の複雑化を抑制しつつ、逆洗時の排水が他の浸透取水構造物１０１のろ過材１３に到達するのを抑制することができる。
【００５０】
また、第２実施形態では、天井面１１２ａを、Ｘ１方向と直交する断面形状が上方に向かって先細る三角形状であり、かつ、断面形状がＸ１方向に向かって延びるように形成する。これにより、先細りした部分で渦を形成しながら渦を形成しながらＸ１方向に向かう水の流れを形成することができるので、上方に向かって排出される排水をより確実に排水方向に導くことができる。この結果、排水を予め設定されたＸ１側の側方からより確実に排出することができる。なお、第２実施形態のその他の構成は、上記第１実施形態と同様である。
【００５１】
［第３実施形態］
図６および図７を参照して、本発明の第３実施形態による浸透取水システム３００について説明する。この浸透取水システム３００では、浸透取水構造物２０１に向かう流れ（離岸流）に沿って下流側開口部２１６ａおよび上流側開口部２１６ｂを設けるとともに、下流側開口部２１７ａおよび上流側開口部２１７ｂを設ける例について説明する。なお、上記第１実施形態と同様の構成は、第１実施形態と同じ符号を付して図示するとともに説明を省略する。
【００５２】
（浸透取水システムの構成）
本発明の第３実施形態による浸透取水システム３００は、図６に示すように、原水中に設置された複数（たとえば、３つ）の浸透取水構造物２０１と、各々の浸透取水構造物１０１に対応する複数の取水井２と、取水管３とを備えている。また、複数の浸透取水構造物２０１は、海岸５と堤防６とにより形成されたＵ字状の湾内の海岸５沿いに設置されている。この際、沖合から堤防６に向かう波が堤防６および海岸５に沿って流れて、海岸５から沖合に向かう流れになる。そして、この流れ（離岸流）が複数の浸透取水構造物２０１に向かう流れになるように、複数の浸透取水構造物２０１は設置されている。つまり、離岸流が向かう下流側（Ｘ１側）に複数の浸透取水構造物２０１は設置されている。また、複数の浸透取水構造物２０１は、各々、離岸流の向き（Ｘ１方向）と直交する方向（Ｙ方向）に所定の間隔を隔てて並ぶように設置されている。
【００５３】
＜浸透取水構造物の構造＞
浸透取水構造物２０１は、図７に示すように、ろ過材１３が収容されたろ過材収容部１０および１１と、ろ過材１３内の下部に配置された分岐管２０３ａおよび２０３ｂと、スクリーン管２１４および２１５とを含んでいる。なお、分岐管２０３ａおよび２０３ｂは、各々、浸透取水構造物２０１を水平方向（紙面垂直方向）に貫通するように延びている。また、複数のスクリーン管２１４は、分岐管２０３ａに対して水平面内で直交した状態で、分岐管２０３ａと連通している。また、複数のスクリーン管２１５は、分岐管２０３ｂに対して水平面内で直交した状態で、分岐管２０３ｂと連通している。なお、分岐管２０３ａ、２０３ｂ、スクリーン管２１４および２１５は、本発明の「導水部」の一例である。
【００５４】
浸透取水構造物２０１のＸ方向の側方の壁部には、矩形状の開口形状を有する、下流側開口部２１６ａおよび２１７ａと、上流側開口部２１６ｂおよび２１７ｂとが設けられている。なお、下流側開口部２１６ａおよび２１７ａは、本発明の「第２開口部」の一例であり、上流側開口部２１６ｂおよび２１７ｂは、本発明の「第１開口部」の一例である。
【００５５】
下流側開口部２１６ａおよび上流側開口部２１６ｂは、離岸流が向かうＸ１方向に沿って形成されている。同様に、下流側開口部２１７ａおよび上流側開口部２１７ｂは、Ｘ１方向に沿って形成されている。これにより、離岸流により、浸透取水構造物２０１内において、上流側開口部２１６ｂ側から下流側開口部２１６ａ側に向かうＸ１方向の水の流れと、上流側開口部２１７ｂ側から下流側開口部２１７ａ側に向かうＸ１方向の水の流れとが形成される。
【００５６】
また、浸透取水構造物２０１の上部において、下流側開口部２１６ａは、上流側開口部２１６ｂよりも開口面積が大きくなるように形成されている。同様に、浸透取水構造物２０１の下部において、下流側開口部２１７ａは、上流側開口部２１７ｂよりも開口面積が大きくなるように形成されている。
【００５７】
また、上記第１実施形態と同様に、逆洗時に、上側のろ過材収容部１０の上方に排出された排水は、Ｘ２側からＸ１側に向かって斜め上方に傾斜する天井面１２ａに沿うように導かれて、浸透取水構造物２０１のＸ１側の下流側開口部２１６ａから浸透取水構造物２０１の側方に排出される。同様に、逆洗時に、下側のろ過材収容部１１の上方に排出された排水は、天井面１０ｂに沿うように導かれて、浸透取水構造物２０１のＸ１側の下流側開口部２１７ａから浸透取水構造物２０１の側方に排出される。
【００５８】
ここで、第３実施形態では、離岸流により、上流側開口部２１６ｂ側から下流側開口部２１６ａ側に向かうＸ１方向の水の流れと、上流側開口部２１７ｂ側から下流側開口部２１７ａ側に向かうＸ１方向の水の流れとが形成される。これにより、逆洗時の排水は、天井面１２ａおよび１０ｂに加えて、Ｘ１方向の水の流れによっても、浸透取水構造物２０１のＸ１側の下流側開口部２１６ａおよび２１７ａから浸透取水構造物２０１の側方に排出される。なお、第３実施形態のその他の構成は、上記第１実施形態と同様である。
【００５９】
（第３実施形態の効果）
第３実施形態では、以下のような効果を得ることができる。
【００６０】
第３実施形態では、上記のように、浸透取水構造物２０１に、逆洗時に、ろ過材１３から原水側に排出される排水の排水方向を他の浸透取水構造物２０１が設置されたＹ方向以外のＸ１方向になるように制御する天井面１２ａおよび１０ｂを設ける。これにより、上記第１実施形態と同様に、部品点数の増加および構造の複雑化を抑制しつつ、逆洗時の排水が他の浸透取水構造物２０１のろ過材１３に到達するのを抑制することができる。
【００６１】
また、第３実施形態では、上流側開口部２１６ｂ側から下流側開口部２１６ａ側に排水が排出されるように、下流側開口部２１６ａおよび上流側開口部２１６ｂを離岸流が流れるＸ１方向に沿って形成する。同様に、上流側開口部２１７ｂ側から下流側開口部２１７ａ側に排水が排出されるように、下流側開口部２１７ａおよび上流側開口部２１７ｂを離岸流が流れるＸ１方向に沿って形成する。これにより、浸透取水構造物２０１に離岸流の流れ方向（Ｘ１方向）に沿って上流側開口部２１６ｂおよび下流側開口部２１６ａを設けるだけで、離岸流を利用して、浸透取水構造物２０１内において上流側開口部２１６ｂ側から下流側開口部２１６ａ側に向かう水の流れを形成することができるとともに、上流側開口部２１７ｂ側から下流側開口部２１７ａ側に向かう水の流れを形成することができる。この結果、構造の複雑化を抑制しながら排水を下流側開口部２１６ａおよび２１７ａから効率的に排出することができる。なお、第３実施形態のその他の構成は、上記第１実施形態と同様である。
【００６２】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００６３】
たとえば、上記第１〜第３実施形態では、本発明の浸透取水システムを、海水（原水）から清澄な水（処理水）を得るためのシステムとして用いた例を示したが、本発明はこれに限られない。本発明の浸透取水システムを、汽水や淡水（原水）から清澄な水（処理水）を得るためのシステムとして用いてもよい。つまり、本発明の浸透取水システムは、原水の種類や原水の取水位置に拘わらず、原水から異物が除去された処理水を必要とするすべての設備に適用可能である。
【００６４】
また、上記第１〜第３実施形態では、浸透取水システム１００、２００および３００において、取水井２における処理水の水面Ｓ２と原水における水面Ｓ１との水位差Ｈ１またはＨ２を利用して、取水時にろ過材１３内を原水側から処理水側に向かって水を流通させ、逆洗時にろ過材１３内を処理水側から原水側に向かって水を逆流させた例を示したが、本発明はこれに限られない。本発明では、浸透取水システムにおいて、取水時にろ過材内を原水側から処理水側に向かって水を流通させ、逆洗時にろ過材内を処理水側から原水側に向かって水を逆流させることが可能なように構成されていればよい。たとえば、図８に示す第１変形例の浸透取水システム４００、図９に示す第２変形例の浸透取水システム５００、および、図１０に示す第３変形例の浸透取水システム６００のように、ポンプ３０２を用いて、取水時にろ過材内を原水（浸透取水構造物１（４０１））側から処理水（処理施設４）側に向かって水を流通させ、逆洗時にろ過材内を処理水側から原水側に向かって水を逆流させることが可能なように構成してもよい。このポンプ３０２は、複数の浸透取水構造物１（４０１）の各々に個別に設けてもよいし、複数の浸透取水構造物１（４０１）で共有してもよい。なお、浸透取水構造物４０１は、本発明の「構造物」の一例であり、ポンプ３０２は、本発明の「逆洗機構部」の一例である。
【００６５】
また、ポンプ３０２は、第１および第３変形例のように陸側に設けてもよいし、第２変形例のように水面から突出する浸透取水構造物４０１の上面に設けてもよい。ここで、浸透取水構造物４０１の上面にポンプ３０２を設けることによって、陸側にポンプ３０２を設ける場合と比べて、ポンプ３０２から各々のろ過収容部４１０、４１１および４１８までの配管長が大きくなるのを抑制することができるので、取水管３に大きな圧力損失が生じるのを抑制することができる。これにより、ポンプ３０２の正味有効吸込み揚程が小さくなるのを抑制することができるので、キャビテーションが生じるのを抑制することが可能である。
【００６６】
また、上記第１〜第３実施形態では、逆洗時にろ過材１３内を処理水側から原水側に向かって水を逆流させた例を示したが、本発明はこれに限られない。本発明では、逆洗時にろ過材内を処理水側から原水側に向かって空気を逆流させることによって、空気の流れに伴うようにろ過材内の水と異物とを排水として浸透取水構造物の外部に排出してもよい。この際、空気を圧縮して逆流させるための空圧機器は、図９に示す第２変形例のポンプ３０２のように、浸透取水構造物４０１の上面に設置されるのが好ましい。これにより、ポンプから各々のろ過収容部までの配管長が大きくなるのを抑制することができるので、空気の圧力損失を小さくすることが可能である。さらに、空気を圧縮する際に、取水管内での空気の体積変化を小さくすることができるので、空気を噴出するとの指示を出してから実際に空気が噴出されるまでの時間差を小さくすることが可能である。
【００６７】
また、上記第１および第３実施形態では、浸透取水構造物１（２０１）に一対のろ過材収容部１０および１１を設けた例を示し、上記第２実施形態では、浸透取水構造物１０１に１つのろ過材収容部１０を設けた例を示したが、本発明はこれに限られない。本発明では、浸透取水構造物に３つ以上のろ過材収容部を設けてもよい。たとえば、図９に示す第２変形例の浸透取水システム５００のように、浸透取水構造物４０１において、３つのろ過収容部４１０、４１１および４１８を鉛直方向（Ｚ方向）に積層させてもよい。これにより、所望のろ過収容部の数を確保するのに必要な浸透取水構造物４０１の数を減少させることができるので、浸透取水構造物４０１を設置するための水底面Ｂの工事をより短縮化することができるとともに、水底面Ｂの工事範囲をより狭めることが可能である。
【００６８】
また、上記第１〜第３実施形態では、浸透取水構造物の全体を原水の水底面Ｂ上に設けた例を示したが、本発明はこれに限られない。本発明では、図１０に示す第３変形例の浸透取水システム６００のように、浸透取水構造物１を水底に埋め込むことによって、浸透取水構造物１の一部を原水の水底面Ｂ上に設けてもよい。これにより、浸透取水構造物１を安定的に原水中に設置することが可能である。なお、この際、下側のろ過収容部１１に対応する沖合側開口部１７ａおよび陸側開口部１７ｂが水底面Ｂよりも上方に位置するように、浸透取水構造物１を水底に埋め込む必要がある。
【００６９】
また、上記第３実施形態では、離岸流を用いるとともに、浸透取水構造物２０１において、天井面１０ｂおよび１２ａを排出方向（Ｘ１方向）に向かって斜め上方に傾斜させ、かつ、排出方向側（Ｘ１側）の下流側開口部２１６ａおよび２１７ａの開口面積を、上流側開口部２１６ｂおよび２１７ｂの開口面積よりも大きくした例を示したが、本発明はこれに限られない。たとえば、図１１に示す第４変形例の浸透取水構造物６０１のように、離岸流を用いる場合には、天井面６１０ｂおよび６１２ａを斜め上方に傾斜させないとともに、下流側開口部６１６ａおよび６１７ａの開口面積を、上流側開口部６１６ｂおよび６１７ｂの開口面積とそれぞれ略等しくしてもよい。この場合であっても、離岸流により、浸透取水構造物６０１内において上流側開口部６１６ｂ側から下流側開口部６１６ａ側に向かう水の流れを形成することができるとともに、上流側開口部６１７ｂ側から下流側開口部６１７ａ側に向かう水の流れを形成することが可能である。なお、下流側開口部６１６ａおよび６１７ａは、本発明の「第２開口部」の一例であり、上流側開口部６１６ｂおよび６１７ｂは、本発明の「第１開口部」の一例である。
【００７０】
また、上記第１〜第３実施形態では、浸透取水構造物のＸ方向の側方の壁部に、沖合側（下流側）開口部および陸側（上流側）開口部を設ける一方、浸透取水構造物のＹ方向の側方の壁部には、開口部を設けない例を示したが、本発明はこれに限られない。本発明では、浸透取水構造物のＹ方向の側方の壁部にも開口部を設けてもよい。この際、浸透取水構造物のＹ方向の側方の開口部は、浸透取水構造物のＸ方向の側方の開口部よりも開口面積が小さい方が好ましい。
【００７１】
また、上記第１〜第３実施形態では、ろ過材内に複数のスクリーン管を配置した例を示したが、本発明はこれに限られない。本発明では、スクリーン管の代わりに、ろ過材が略通過しない程度の穴径を有する穴が複数形成された穴あき（多孔）パイプや、ろ過材が略通過しない程度の大きさの網目を有するとともに、枝管とろ過材との間を仕切る網状のスクリーンを用いてもよい。
【００７２】
また、上記第１〜第３実施形態では、複数（３つ）の浸透取水構造物を設置した例を示したが、本発明はこれに限られない。本発明では、浸透取水構造物の数は限定されない。なお、多数の浸透取水構造物を設置する場合には、浸透取水構造物から排出される排水が取水されないように、各々の浸透取水構造物における排水方向には、他の浸透取水構造物を設置しないのが好ましい。また、浸透取水構造物の数が多く、その結果、浸透取水構造物における排水方向に他の浸透取水構造物を設置せざるを得ない場合には、排水が取水されないように浸透取水構造物同士を十分に離間させて設置するのが好ましい。
【００７３】
また、上記第１〜第３実施形態では、排水方向を他の浸透取水構造物が設置された方向とは異なる方向にした例を示したが、本発明はこれに限られない。たとえば、浸透取水構造物の周辺に養殖場などの清澄な水が必要とされる設備が設けられている場合には、排水方向を養殖場が設置された方向とは異なる方向にしてもよい。
【００７４】
また、上記第３実施形態では、離岸流が浸透取水構造物２０１に向かう流れになるように、浸透取水構造物２０１を設置した例を示したが、本発明はこれに限られない。本発明では、浸透取水構造物に向かう流れは、離岸流に限られない。たとえば、河川の下流側に浸透取水構造物を設置することによって、河川の流れを浸透取水構造物に向かう流れとして用いてもよい。
【００７５】
また、上記第２実施形態では、天井面１１２ａを、Ｘ１方向（排水方向）と直交する断面形状が上方に向かって先細る三角形状であり、かつ、断面形状が排水方向に向かって延びるように形成した例を示したが、本発明はこれに限られない。たとえば、天井面を、排水方向と直交する断面形状が上方に向かって先細るアーチ状（逆Ｕ字状）であり、かつ、アーチ状の断面形状が排水方向に向かって延びるように形成してもよい。
【符号の説明】
【００７６】
１、１０１、２０１、４０１、６０１  浸透取水構造物（構造物）
２  取水井（逆洗機構部）
３  取水管（導水部）
３ａ、３ｂ、２０３ａ、２０３ｂ  分岐管（導水部）
４  処理設備
１０、１１、３１０、３１１、３１８  ろ過材収容部
１０ａ  下部
１０ｂ、１２ａ、１１２ａ  天井面（排水方向制御部、ガイド部）
１３  ろ過材
１４、１５、２１４、２１５  スクリーン管（導水部）
１６ａ、１７ａ、１１６ａ  沖合側開口部（第２開口部）
１６ｂ、１７ｂ、１１６ｂ  陸側開口部（第１開口部）
１００、２００、３００、４００、５００、６００  浸透取水システム
２１６ａ、２１７ａ、６１６ａ、６１７ａ  下流側開口部（第２開口部）
２１６ｂ、２１７ｂ、６１６ｂ、６１７ｂ  上流側開口部（第１開口部）
３０２  ポンプ（逆洗機構部）
Ｂ  水底面
Ｘ１  所定の排水方向
【図１】
0006530205.tif 000002
【図２】
0006530205.tif 000003
【図３】
0006530205.tif 000004
【図４】
0006530205.tif 000005
【図５】
0006530205.tif 000006
【図６】
0006530205.tif 000007
【図７】
0006530205.tif 000008
【図８】
0006530205.tif 000009
【図９】
0006530205.tif 000010
【図１０】
0006530205.tif 000011
【図１１】
0006530205.tif 000012